(57)【特許請求の範囲】
【請求項１】
Ｘ線撮影において、受像面上に投影された患者の骨又は関節の像のサイズを補正する際に必要となる拡大率を推定する推定装置であって、
前記患者の体厚と前記体厚に対する前記骨又は関節の位置情報とに基づいて、前記骨又は関節と前記受像面との間の距離を推定する距離推定手段と、
前記骨又は関節と前記受像面との間の距離と、Ｘ線管球の焦点と前記受像面との間の距離とに基づいて、前記拡大率を推定する拡大率推定手段と、を具備する、
推定装置。
【請求項２】
前記距離推定手段は、
前記骨又は関節と、前記体厚に対する前記骨又は関節の位置情報とが対応付けられた位置情報テーブルを有し、前記位置情報テーブルから前記骨又は関節に対応付けられた位置情報を取得し、前記体厚と前記位置情報に基づいて、前記骨又は関節と前記受像面との間の距離を推定する、
請求項１に記載の推定装置。
【請求項３】
前記距離推定手段は、
前記骨又は関節と、体の中心を原点とする所定の座標系における骨又は関節の位置を示す位置情報とが対応付けられた位置情報テーブルを有し、前記位置情報テーブルから前記骨又は関節に対応付けられた位置情報を取得し、前記体厚と前記位置情報と撮影方向とに基づいて、前記骨又は関節と前記受像面との間の距離を推定する、
請求項１に記載の推定装置。
【請求項４】
前記体厚に対する前記骨又は関節の位置情報を受け付ける入力手段を、更に具備し、
前記距離推定手段は、前記体厚と入力された前記位置情報とに基づいて、前記骨又は関節と前記受像面との間の距離を推定する、
請求項１に記載の推定装置。
【請求項５】
前記患者の体厚の情報を取得する体厚取得手段、を更に具備する、
請求項１乃至請求項４のいずれか１項に記載の推定装置。
【請求項６】
前記体厚取得手段は、
骨又は関節と、体位と、体厚の方向と、体厚補正係数（ｆ）とが対応付けられた体厚補正係数テーブルを保持し、前記体厚補正係数テーブルから、前記骨又は関節、撮影時の体位及び撮影方向に応じて、いずれか１つの体厚補正係数（ｆ）を取得し、前記患者の身長（Ｈ）と、前記患者の体重（Ｗ）と、取得した前記体厚補正係数（ｆ）と、式（１）とから、前記体厚（ＢＴ）を推定する、
請求項５に記載の推定装置。
【数１】
0005986813.tif 000018
ここで、α、βは、定数である。
【請求項７】
前記体厚取得手段は、
前記Ｘ線画像の付帯情報から、前記患者の身長及び体重の情報を取得する、
請求項６に記載の推定装置。
【請求項８】
前記患者の身長及び体重の情報を受け付ける入力手段を、更に具備する、
請求項６に記載の推定装置。
【請求項９】
前記拡大率を用いて、前記受像面上に投影された前記骨又は関節の像のサイズを補正して、実際の骨又は関節のサイズを推定するサイズ補正手段を、更に具備する、
請求項７又は請求項８に記載の推定装置。
【請求項１０】
Ｘ線撮影において、受像面上に投影された患者の骨又は関節の像のサイズを補正する際に必要となる拡大率を推定する推定方法であって、
前記患者の体厚と前記体厚に対する前記骨又は関節の位置情報とに基づいて、前記骨又は関節と前記受像面との間の距離を推定し、
前記骨又は関節と前記受像面との間の距離と、Ｘ線管球の焦点と前記受像面との間の距離とに基づいて、前記拡大率を推定する、
推定方法。
【請求項１１】
Ｘ線撮影において、受像面上に投影された患者の骨又は関節の像のサイズを補正する際に必要となる拡大率を推定する推定装置を、
前記患者の体厚と前記体厚に対する前記骨又は関節の位置情報とに基づいて、前記骨又は関節と前記受像面との間の距離を推定する距離推定手段と、
前記骨又は関節と前記受像面との間の距離と、Ｘ線管球の焦点と前記受像面との間の距離とに基づいて、前記拡大率を推定する拡大率推定手段として機能させる、
プログラム。
【請求項１２】
前記骨又は関節と前記受像面との間の距離を推定することは、
前記骨又は関節と、前記体厚に対する前記骨又は関節の位置情報とが対応付けられた位置情報テーブルから前記骨又は関節に対応付けられた位置情報を取得し、前記体厚と前記位置情報に基づいて、前記骨又は関節と前記受像面との間の距離を推定する、
請求項１０に記載の推定方法。
【請求項１３】
前記距離推定手段は、
前記骨又は関節と、前記体厚に対する前記骨又は関節の位置情報とが対応付けられた位置情報テーブルを有し、前記位置情報テーブルから前記骨又は関節に対応付けられた位置情報を取得し、前記体厚と前記位置情報に基づいて、前記骨又は関節と前記受像面との間の距離を推定する、
請求項１１に記載のプログラム。
【発明の詳細な説明】
【技術分野】
【０００１】
本発明は、Ｘ線画像に投影された部位の像の拡大率を推定する推定装置、推定方法及びプログラムに関する。
【背景技術】
【０００２】
医療において、病気や怪我等の原因によりダメージを受けてしまった関節を、人工材料から構成される人工関節で置換する人工関節置換術が知られている。人工関節置換術では、人工関節を構成するソケット、ステム等のサイズを決定するために、Ｘ線撮影によって取得されたＸ線画像を参照して、人工関節で置換される対象部位のサイズを計測する。
【０００３】
近年、Ｘ線撮影において、Ｘ線フィルムに代えて、ＣＲ（Computed Radiography）やフラットパネル（Flat Panel Detector：ＦＰＤ）等を用いるコンピュータＸ線撮影が主流となってきている。
【０００４】
ＣＲは、カセッテに入れられたイメージングプレート（Imaging Plate：ＩＰ）をＸ線センサとして用いるシステムである。ＩＰは、照射されたＸ線をエネルギーとして蓄積するようになっている。そして、ＣＲ読取装置において、被写体を通過してＩＰに照射されたＸ線エネルギーが、光レーザで読み取られ、デジタル信号に変換されて、画像化される。カセッテには、半切、大角、四切、六切等のサイズがあり、撮影目的や患者の体型によって使い分けられている。
【０００５】
ＦＰＤは、被写体を通過したＸ線エネルギーを検出し、電気信号に変換する、Ｘ線検出器を平面状に敷き詰めたものであって、フィルムと読取装置の機能を兼ねている。ＦＰＤでは、Ｘ線をいったん光信号に変換した後に、電気信号に変える間接変換型と、Ｘ線を直接、電気信号に変える直接変換型とがある。ＦＰＤのサイズは、基本的に最大フィルムサイズのみであって、読み取る位置及び範囲等を適宜、出力画像サイズに絞って変更している。
【０００６】
このようにしてデジタル化されたＸ線画像は、画像処理装置によって、画像の濃度、階調処理等が行われた後、病院内のＰＡＣＳ（Picture Archiving and Communication System）と呼ばれる画像サーバに保存される。病院内のネットワークに接続されている端末は、当該ネットワークを介してＰＡＣＳにアクセスすることにより、様々な場所でＸ線画像を参照することができる。
【０００７】
関節のサイズの測定は、一般的に次のように行われる。
病院内のネットワークに接続されている端末は、ＰＡＣＳにアクセスして、Ｘ線画像を取得し、端末の表示部に表示する。そして、表示部に表示されたＸ線画像を参照して、対象部位の始点と終点を指定して、必要な関節（例えば、股関節）の画像ピクセルサイズを取得する。始点及び終点の指定には、例えば、マウスやタッチペン等が用いられる。そして、実際のフィルムサイズ及び画像ピクセルサイズの情報を用いて、関節のサイズが推定される。
【０００８】
ところで、Ｘ線撮影では、その仕組み上、被写体の画像が実際のサイズより拡大して記録される。この点について、図１を用いて説明する。
【０００９】
図１は、Ｘ線撮影において、Ｘ線管球の焦点（Ｘ線発生源）１０と２つの被写体１１、１２と受像面１３との位置関係を示している。図１は、被写体１１が、被写体１２に比べ、受像面１３から離れた距離に位置している例である。図１において、像１４は、受像面１３に投影された被写体１１の像であり、像１５は、受像面１３に投影された被写体１２の像である。図１に示すように、受像面１３から被写体が離れるほど、受像面１３に投影される被写体の像は拡大されて記録される。
【００１０】
関節は、体内の内部に位置する。つまり、身体が受像面に接するようにして撮影しても、関節は、受像面から離れた位置に存在する。したがって、受像面には、関節の画像が、実際の関節のサイズより拡大されて記録される。そのため、関節のサイズの測定では、この拡大による誤差の補正が必要となる。
【００１１】
誤差補正の方法としては、例えば、拡大率を１０％に固定して、推定した対象部位のサイズを補正する方法がある。しかしながら、患者の体型、例えば、太っているか、痩せているかによって、受像面からの対象部位の距離が異なる。また、同一の患者であっても、股関節と脊椎とでは、受像面からの距離が異なる。そのため、拡大率を一律に１０％に固定して補正を行う方法では、患者の体型や対象部位によって、拡大率に誤差が生じ、正確なサイズを推定するのが難しい場合がある。
【００１２】
この問題を解決する方法として、例えば、補正用の金属球を用いて拡大率を設定する方法がある（例えば、特許文献１）。特許文献１による補正用の金属球を用いる方法では、受像面から対象部位までの距離と、受像面から金属球までの距離とが同じになるように金属球を配置して、撮影を行う。
【００１３】
例えば、対象部位が股関節の場合、補正用の金属球を患者の股関節骨頭の高さに配置する。図２（Ａ）は、患者２０の股関節骨頭の高さに補正用の金属球２１を配置した場合の正面図を示す。また、図２（Ｂ）は、図２（Ａ）に示すように、補正用の金属球２１を股関節骨頭２２の高さに配置した場合における、股関節骨頭２２と補正用の金属球２１と受像面２３との位置関係を示す。また、図２（Ｃ）は、補正用の金属球２１及び受像面２３に投影された金属球２１の像２４を示す。
【００１４】
そして、補正用の金属球を用いて拡大率を設定する方法では、金属球の実際のサイズと金属球の像のサイズとから、拡大率を算出する。具体的には、図２（Ｃ）に示すように、金属球２１の直径がｄ２であり、金属球２１の像２４の直径がｄ１の場合、ｄ１／ｄ２を拡大率として設定する。
【先行技術文献】
【特許文献】
【００１５】
【特許文献１】特開平１０−１２７６１４号公報
【特許文献２】特開２００９−１４２４９７号公報
【非特許文献】
【００１６】
【非特許文献１】「体重と身長から体厚を求める方法」、日本放射線技術学会雑誌、第６５卷第１号、５０−５６頁
【発明の概要】
【発明が解決しようとする課題】
【００１７】
しかしながら、上述の従来の補正方法では、補正用の金属球を用意し、患者の対象部位の位置に応じて、撮影ごとに当該金属球を配置しなくてはならず、撮影時に手間がかかってしまう。
【００１８】
本発明は、かかる点に鑑みてなされたものであり、Ｘ線検査撮影時の手間を省きつつ、より高い精度で、Ｘ線画像に投影された部位の像の拡大率を推定することができる推定装置、推定方法及びプログラムを提供することを目的とする。
【課題を解決するための手段】
【００１９】
本発明における推定装置の一態様は、Ｘ線撮影において、受像面上に投影された患者の対象部位の像のサイズを補正する際に必要となる拡大率を推定する推定装置であって、前記患者の体厚に基づいて、前記対象部位と前記受像面との間の距離を推定する距離推定手段と、前記対象部位と前記受像面との間の距離と、Ｘ線管球の焦点と前記受像面との間の距離とに基づいて、前記拡大率を推定する拡大率推定手段と、を具備する。
【００２０】
この構成によれば、マーカとしての金属球を用いずに、患者の体厚に基づいて、対象部位と受像面との間の距離が推定されるので、金属球を対象部位に合わせて配置し、対象部位と金属球とを同時に撮影して、拡大率を推定する従来の方法に比べ、撮影時の手間を省くことができる。また、患者の体型に応じた体厚に応じて、拡大率が推定されるので、より高い精度で拡大率を推定することができる。また、当該拡大率を用いることにより、対象部位のサイズをより高い精度で推定することができる。
【００２１】
本発明における推定装置の一態様は、前記距離推定手段が、各部位と、前記体厚に対する前記各部位の位置情報とが対応付けられた位置情報テーブルを有し、前記位置情報テーブルから前記対象部位に対応付けられた位置情報を取得し、前記体厚と前記位置情報に基づいて、前記対象部位と前記受像面との間の距離を推定する。
【００２２】
この構成によれば、体厚に対する対象部位の位置に応じて、拡大率が推定されるので、対象部位ごとに、より高い精度で拡大率を推定することができる。
【００２３】
本発明における推定装置の一態様は、前記距離推定手段が、各部位と、体の中心を原点とする所定の座標系における各部位の位置を示す位置情報とが対応付けられた位置情報テーブルを有し、前記位置情報テーブルから前記対象部位に対応付けられた位置情報を取得し、前記体厚と前記位置情報と撮影方向とに基づいて、前記対象部位と前記受像面との間の距離を推定する。
【００２４】
この構成によれば、様々な撮影方向において、受像面と対象部位との間の距離を算出することができる。
【００２５】
本発明における推定装置の一態様は、前記体厚に対する前記対象部位の位置情報を受け付ける入力手段を、更に具備し、前記距離推定手段は、前記体厚と入力された前記位置情報とに基づいて、前記対象部位と前記受像面との間の距離を推定する。
【００２６】
この構成によれば、過去に患者が受けた検査の結果等を利用して、当該患者の体厚に対する対象部位の位置を指定して、拡大率が推定されるので、より高い精度で拡大率を推定することができる。
【００２７】
本発明における推定装置の一態様は、前記患者の体厚を取得する体厚取得手段、を更に具備する。
【００２８】
この構成によれば、患者ごとの体厚を用いて拡大率が推定されるので、より高い精度で拡大率を推定することができる。
【００２９】
本発明における推定装置の一態様は、前記体厚取得手段が、部位と、体位と、体厚の方向と、体厚補正係数（ｆ）とが対応付けられた体厚補正係数テーブルを保持し、前記体厚補正係数テーブルから、前記対象部位、撮影時の体位及び撮影方向に応じて、いずれか１つの体厚補正係数（ｆ）を取得し、前記患者の身長（Ｈ）と、前記患者の体重（Ｗ）と、取得した前記体厚補正係数（ｆ）と、式（１）とから、前記体厚（ＢＴ）を推定する。
【数１】
0005986813.tif 000002
ここで、α、βは、定数である。
【００３０】
この構成によれば、Ｘ線検査撮影時の手間を省きつつ、より高い精度で、Ｘ線画像に投影された部位の像の拡大率を推定することができる。
【００３１】
本発明における推定装置の一態様は、前記体厚取得手段が、前記Ｘ線画像の付帯情報から、前記患者の身長及び体重の情報を取得する。
【００３２】
この構成によれば、既存の情報を利用して体厚を推定することができるので、体厚を推定するためのコスト等の増加を抑えることができる。
【００３３】
本発明における推定装置の一態様は、前記患者の身長及び体重の情報を受け付ける入力手段を、更に具備する。
【００３４】
この構成によれば、Ｘ線画像に付加された患者に関する情報に、当該患者の身長及び体重の情報が付加されていない場合においても、体厚を推定することができる。
【００３５】
本発明における推定装置の一態様は、前記拡大率を用いて、前記受像面上に投影された前記対象部位の像のサイズを補正して、実際の対象部位のサイズを推定するサイズ補正手段を、更に具備する。
【００３６】
この構成によれば、より高い精度で推定された拡大率を用いて、実際の対象部位のサイズが推定されるので、より高い精度で実際の対象部位のサイズを推定することができる。
【００３７】
本発明における推定方法の一態様は、Ｘ線撮影において、受像面上に投影された患者の部位の像のサイズを補正する際に必要となる拡大率を推定する推定方法であって、前記患者の体厚に基づいて、前記対象部位と前記受像面との間の距離を推定し、前記対象部位と前記受像面との間の距離と、前記Ｘ線管球の焦点と前記受像面との間の距離とに基づいて、前記拡大率を推定する。
【００３８】
本発明におけるプログラムの一態様は、Ｘ線撮影において、受像面上に投影された患者の部位の像のサイズを補正する際に必要となる拡大率を推定する推定装置を、前記患者の体厚に基づいて、前記対象部位と前記受像面との間の距離を推定する距離推定手段と、前記対象部位と前記受像面との間の距離と、前記Ｘ線管球の焦点と前記受像面との間の距離とに基づいて、前記拡大率を推定する拡大率推定手段として機能させる。
【００３９】
これらによれば、マーカとしての金属球を用いずに、患者の体厚に基づいて、対象部位と受像面との間の距離が推定されるので、金属球を対象部位に合わせて配置し、対象部位と金属球とを同時に撮影して、拡大率を推定する方法に比べ、撮影時の手間を省くことができる。また、患者の体型に応じた体厚に応じて、拡大率が推定されるので、より高い精度で拡大率を推定することができる。また、当該拡大率を用いることにより、対象部位のサイズをより高い精度で推定することができる。
【発明の効果】
【００４０】
本発明によれば、Ｘ線検査撮影時の手間を省きつつ、より高い精度でＸ線画像に投影された部位の像の拡大率を推定することができる。
【図面の簡単な説明】
【００４１】
【図１】Ｘ線撮影時の問題点について説明するための図
【図２】股関節のＸ線画像を取得する場合の金属球の配置例を示す図
【図３】放射線部門システムの構成例を示す図
【図４】本発明の実施の形態に係る部位サイズ推定装置の内部構成例を示す図
【図５】体厚補正係数テーブルの一例を示す図
【図６】位置情報を説明するための図
【図７】位置情報テーブルの一例を示す図
【図８】拡大率の推定方法を説明するための図
【図９】対象部位のサイズを推定する場合の処理の一例を示すフローチャート
【図１０】斜位方向撮影時の部位サイズを推定する方法を説明するための図
【図１１】位置情報テーブルの一例を示す図
【図１２】拡大率の補正方法を説明するための図
【図１３】本発明の実施の形態に係る部位サイズ推定装置の実現例を示す図
【発明を実施するための形態】
【００４２】
以下、本発明を実施するための形態について図面を参照して詳細に説明する。本発明に係る部位サイズ推定装置は、患者の部位のサイズを測定するのに好適である。
【００４３】
（病院システムの構成例）
始めに、本発明の実施の形態に係る部位サイズ推定装置が適用される病院システムについて説明する。なお、以下に説明する病院システムは一例であって、本発明は、ここに示される以外のシステムにおいても適用可能である。
【００４４】
図３は、病院システムの構成の一例を示す図である。図３に示されるように、病院システムは、病院情報システム（ＨＩＳ：Hospital Information System）１００、放射線部門システム２００、端末３００、部位サイズ推定装置４００、任意のデータサーバ（図示せず）、及び任意の他部門システム（図示せず）から構成され、ネットワーク５００を介して接続されている。ネットワークとしては、ＬＡＮ（Local Area Network）のようなローカルなネットワークでもよいし、インターネットのようなグローバルなネットワークでもよい。他部門システムとは、放射線部門以外の部門のシステムであり、つまり、他の検査部門のシステムや会計部門のシステム等である。
【００４５】
病院情報システム（ＨＩＳ）１００は、オーダエントリーシステム、電子カルテシステム、医事会計システム等を内包した、病院内の情報を統合的に管理するシステムである。病院情報システム（ＨＩＳ）１００は、患者の担当医の入力を受け、画像診断撮影の依頼内容や、当該患者に関する情報（以下、患者情報という）等を含む、オーダー情報を生成し、それを病院内のネットワーク５００を介して、後述する放射線情報システム（ＲＩＳ：Radiology Information System）２１０に通知する。
【００４６】
放射線部門システム２００は、放射線情報システム（ＲＩＳ）２１０、モダリティ２２０、及び、画像データサーバ（ＰＡＣＳ）２３０を有している。図３に示すように、これらは、ネットワーク５００を介して接続されている。ネットワークとしては、ＬＡＮ（Local Area Network）のようなローカルなネットワークでもよいし、インターネットのようなグローバルなネットワークでもよい。
【００４７】
放射線情報システム（ＲＩＳ）２１０は、放射線科における検査予約、画像撮影検査に係る検査実績情報の管理、材料在庫情報の管理等を行って、放射線科内の情報を統括的に管理するシステムである。放射線情報システム（ＲＩＳ）２１０は、病院情報システム（ＨＩＳ）１００から送信されたオーダー情報を受信し、記録する。また、放射線情報システム（ＲＩＳ）２１０は、オーダー情報を元に、モダリティ２２０にオーダー情報を送信し、更に、該当検査の検査実施情報を病院情報システム（ＨＩＳ）１００に通知する。
【００４８】
モダリティ２２０は、Ｘ線検査、ＣＴ（Computed Tomography）検査、ＭＲＩ（Magnetic Resonance Imaging）検査等を行なうための装置及び、撮影された画像の画像処理を行うシステム群の総称である。例えばＸ線検査を行うモダリティ２２０は、Ｘ線発生源であるＸ線管球、Ｘ線センサーであるＩＰやＦＰＤ、ＩＰやＦＰＤに蓄積されたデータを読み取る読取装置（図示せず）、得られた画像の濃度調整や諧調処理を行う画像処理装置（図示せず）などから構成される。これらの構成要素は、検査の種類や、病院内の撮影室やモダリティの構成により、様々な形態をとることができる。
【００４９】
例えば、Ｘ線検査を行う検査では、Ｘ線管球から出力されたＸ線を受けるＩＰ又はＦＰＤを用いて、患者の患部を撮影する。その後、ＩＰ又はＦＰＤを用いて撮影された患部の像を、読取装置を用いて画像データに変換する。ＩＰに記録された像は光レーザを照射することにより画像に変換される。ＦＰＤを用いた場合は、ＦＰＤが、蛍光体で吸収し発生した光をフォトダイオードで電荷に変換することで得られた信号から画像を生成する。
【００５０】
生成された画像には、放射線情報システム（ＲＩＳ）２１０から受信したオーダー情報などを元に、当該画像データに関する付帯情報を付帯させる。この時、モダリティ２２０が生成する検査画像のフォーマットとしては、医用画像に対する標準規格であるＤＩＣＯＭ（Digital Imaging and Communication in Medicine）により定められたフォーマットを用いることができる。このＤＩＣＯＭは、医用画像のフォーマットやその他医療情報の通信についての標準規格であり、種々の装置がＤＩＣＯＭに対応することにより、病院内の様々な部門で医用画像を扱うことを可能にしている。
【００５１】
更に、生成された検査画像は、画像処理装置にて画像の濃度、階調処理等の画像処理が行われ、画像処理後の検査画像は、画像データサーバ（ＰＡＣＳ）２３０に送信される。
【００５２】
画像データサーバ（ＰＡＣＳ）２３０は、画像処理後の検査画像を受信して、検査画像を保存及び管理するシステムである。上述したように、画像データサーバ（ＰＡＣＳ）２３０は、病院内のネットワーク５００に接続されている。そのため、病院の様々な部門の端末等は、ネットワーク５００を介して画像データサーバ（ＰＡＣＳ）２３０に接続し、必要な検査画像を様々な場所で取得することができる。
【００５３】
端末３００は、病院内の様々な部門に設置される端末であって、担当医、看護師等が、患者の診療履歴等を入力したり、画像データサーバ（ＰＡＣＳ）２３０から取得した検査画像を表示して、読影に利用される端末である。
【００５４】
部位サイズ推定装置４００は、Ｘ線画像を用いて、患者の対象部位のサイズを推定する。部位サイズ推定装置４００については、後述する。
【００５５】
以上、本発明の実施の形態に係る部位サイズ推定装置が適用される病院システムの一例について説明した。
【００５６】
（部位サイズ推定装置）
次に、本発明の実施の形態に係る部位サイズ推定装置について説明する。
【００５７】
本発明の実施の形態に係る部位サイズ推定装置は、上述のモダリティ２２０が生成した検査画像のうち、Ｘ線画像を用いて、患者の対象部位のサイズを推定する装置であって、例えば、図３に示す部位サイズ推定装置４００に適用される。なお、図３の端末３００が、部位サイズ推定装置４００の機能を有するように構成されてもよい。
【００５８】
図４は、本発明の実施の形態に係る部位サイズ推定装置４００の内部構成例を示す図である。部位サイズ推定装置４００は、図４に示すように、Ｘ線画像を確認する画像確認部４１０と、受像面上の対象部位の像のサイズを算出する部位サイズ算出部４２０と、患者の体厚の情報を取得する体厚取得部４３０と、撮影時の対象部位と受像面との間の距離を推定する距離推定部４４０と、受像面上に投影された対象部位の像のサイズを補正する際に必要となる拡大率を推定する拡大率推定部４５０と、受像面上に投影された対象部位の像のサイズを補正して、対象部位のサイズを推定する部位サイズ補正部４６０と、入力部４７０とを有している。
【００５９】
画像確認部４１０は、画像取得部４１１及び画像参照部４１２を有している。画像取得部４１１は、ネットワーク５００経由で、画像データサーバ（ＰＡＣＳ）２３０から、該当患者のＸ線画像を取得し、画像参照部４１２は、取得されたＸ線画像を表示する。以下、画像参照部４１２に表示されたＸ線画像を、参照画像という。
【００６０】
部位サイズ算出部４２０は、画像参照部４１２に表示された対象部位の像の画像ピクセルサイズ（以下、参照サイズという）を計測する。例えば、部位サイズ算出部４２０は、参照画像における対象部位の始点ｄｓから終点ｄｅまでの距離を画像ピクセルサイズに換算し、参照サイズｄ０とする。始点ｄｓ及び終点ｄｅの特定は、例えば、後述する入力部４７０（キーボード、マウス、タッチペン、タッチパネル、ボタン等）を用いて行われる。なお、参照画像における対象部位の始点ｄｓ及び終点ｄｅの情報を取得する方法は、特に限定されない。
【００６１】
そして、部位サイズ算出部４２０は、参照サイズ、参照画像の全体サイズ及び受像面（ＩＰ又はＦＰＤ等）の全体サイズから、ＩＰ又はＦＰＤ等の受像面上に投影された対象部位の像のサイズｄ１を算出する。具体的には、部位サイズ算出部４２０は、以下の関係式を用いて、受像面上の対象部位の像のサイズｄ１を算出する。
ｄ１＝ｄ０×Ｒ
【００６２】
ここで、比Ｒは、以下に示すように、参照画像の全体サイズに対する受像面（ＩＰ又はＦＰＤ等）の全体サイズの割合である。すなわち、
Ｒ＝受像面の全体サイズ／参照画像の全体サイズ
である。
【００６３】
そして、部位サイズ算出部４２０は、算出した対象部位の像のサイズｄ１の情報を、部位サイズ補正部４６０に出力する。
【００６４】
体厚取得部４３０は、患者の体厚の情報を取得する。以下、体厚取得部４３０における体厚の情報の取得方法について説明する。
【００６５】
Ｘ線撮影では、患者の被曝量を必要最小限に抑えるために、照射量の調整が行われる。このとき、体厚の情報を利用して、照射量を調整する方法が知られている。
【００６６】
例えば、非特許文献１には、患者の身長と、体重と、体厚補正係数とに基づいて、式（２）を用いて、体厚を算出する方法が提案されている。
【数２】
0005986813.tif 000003
式（２）において、ＢＴ（ｃｍ）は、体厚（Body Thickness）を示し、Ｗ（ｋｇ）は、体重（Weight）を示し、Ｈ（ｃｍ）は、身長（Hight）を示す。また、fは、体厚補正係数であって、部位、体位及び撮影方向に対応付けられた係数である。なお、非特許文献１では、体厚補正係数ｆの変動が最小となる（α、β）の組み合わせとして、（０．６、−０．８）が提案されている。
【００６７】
上記式（２）を用いて体厚を算出して取得する場合、体厚取得部４３０は、予め、部位と、体位と、撮影方向と、体厚補正係数ｆとが対応付けられた対応テーブル（以下、体厚補正係数テーブルという）を保持している。
【００６８】
図５は、体厚補正係数テーブルの一例を示す図である。なお、図５において、撮影方向とは、撮影時の受像面に対する患者の体の向きを示す情報、つまり、体厚が体の前後方向又は側面方向のどちらの方向の厚みを示すかを表現し、ＡＰは、体厚が前後（Anterior Posterior）方向の厚みであることを示し、ＬＡＴは、体厚が側面（Lateral）方向の厚みであることを示している。また、各数値は、体厚補正係数ｆを示している。また、胸部及び腹部などの撮影については、立位での体厚と臥位での体厚とが大きく異なることがあることから、患者の体位ごとに、体厚補正係数ｆが対応付けられている。
【００６９】
なお、体厚取得部４３０は、Ｘ線画像の付帯情報から、患者の身長、体重、対象部位、撮影時の体位及び撮影方向の情報を取得することができる。例えば、ＤＩＣＯＭ情報には、装置の種別、患者情報、検査情報等の撮影項目情報が、検査画像の付帯情報として付加される。ここで、患者情報には、患者の氏名、生年月日、性別、血液型、身長及び体重等、患者に関する情報が含まれている。また、検査情報には、モダリティ２２０が行なった検査に関する情報、つまり、検査を識別する番号である検査番号や、撮影日、撮影時刻、撮影部位、撮影時の体位及び撮影方向等についての情報が含まれている。
【００７０】
そして、体厚取得部４３０は、対象部位、撮影時の体位及び撮影方向の情報に基づいて、体厚補正係数テーブルから、体厚補正係数ｆを取得する。例えば、対象部位が股関節の場合、体厚取得部４３０は、部位：股関節、体厚の方向：前後（ＡＰ）に対応付けられた１００．２２を、体厚補正係数ｆとして取得する。また、対象部位が胸部であって、撮影時の体位が立位であり、撮影方向がＡＰの場合、体厚取得部４３０は、部位：胸部、体位：立位、体厚の方向：前後（ＡＰ）に対応付けられた１０３．３２を、体厚補正係数ｆとして取得する。
【００７１】
そして、体厚取得部４３０は、患者の身長と、体重と、体厚補正係数とに基づいて、式（２）を用いて、体厚を算出する。
【００７２】
このようにして、体厚取得部４３０は、Ｘ線画像の付帯情報に含まれる情報を利用して、体厚を推定することができる。
【００７３】
なお、患者情報に身長及び体重の情報が含まれていない場合には、後述する入力部４７０に患者の身長及び体重の情報を入力するようにしてもよい。
【００７４】
また、Ｘ線撮影時に予め患者情報を確認し、患者情報に身長及び体重の情報が含まれていないことを確認した場合に、患者の身長及び体重の情報を患者情報に追加するようしてもよい。例えば撮影時に、体厚を算出するのに必要な身長及び体重の情報が、患者情報の中に含まれていないことを確認した場合、Ｘ線撮影の前又は後に、患者の身長及び体重を計測し、身長及び体重の情報を患者情報に追加するようにしてもよい。若しくは、病院情報システム１００、放射線情報システム２１０などのネットワーク５００に接続されているシステムから身長及び体重の情報を取得し、患者情報に追加するようにしてもよい。このとき、取得元のシステムには身長及び体重の情報を送信する送信手段を設け、体厚取得部４３０が、当該情報を受信するようにするとよい。
【００７５】
また、患者情報に含まれる身長及び体重の計測日から、身長及び体重の情報が古いと判断できる場合には、最新の患者の身長及び体重の情報を入力するようにしたり、Ｘ線撮影の前又は後に、患者の身長及び体重を計測し、身長及び体重の情報を患者情報に追加するようにしてもよい。この場合には、体厚取得部４３０は、患者の最新の身長及び体重の情報を用いて、体厚を推定することができるので、体厚の推定精度を向上させることができる。
【００７６】
また、Ｘ線撮影の前又は後に、患者の体厚を実測し、実測した体厚の情報を患者情報に追加してもよい。また、対象部位の長さを計測する前に、後述する入力部４７０に患者の体厚の情報を入力するようにしてもよい。
【００７７】
なお、体厚取得方法は、上記方法に限定されず、体厚取得部４３０は、例えば、特許文献２に提案されるように、Ｘ線画像のヒストグラムを用いて、体厚を算出するようにしてもよい。Ｘ線撮影では、患者の被曝量を必要最小限に抑えるために、体厚の情報を利用して照射量が調整される。そのため、体厚の推定方法は、特許文献１及び特許文献２に提案される方法以外にも、様々な方法が検討されている。したがって、特許文献１及び特許文献２に提案される以外の方法を用いて、体厚取得部４３０が、体厚の情報を取得するようにしてもよい。
【００７８】
このようにして、体厚取得部４３０は、患者の体厚の情報を取得し、取得した体厚の情報を距離推定部４４０に出力する。
【００７９】
距離推定部４４０は、撮影時の対象部位と受像面との間の距離を推定する。具体的には、距離推定部４４０は、部位と、体厚に対する部位の位置の情報（以下、位置情報という）とが対応付けられた対応テーブル（以下、位置情報テーブルという）を有し、位置情報テーブルから対象部位に対応付けられた位置情報を取得し、体厚と位置情報に基づいて、対象部位と受像面との間の距離を推定する。
【００８０】
まず、体厚に対する部位の位置の情報（位置情報）について、図６を用いて説明する。図６は、患者が、Ｘ線管球の焦点（Ｘ線発生源）６００を向き、受像面６１０に背面側６４０を向けた状態でＸ線撮影される場合に、対象部位を含む患者の水平断面図の例である。ここで、ＢＴは、体厚であり、Ｈ１は、背面側６４０から対象部位６２０までの距離である。この場合、位置情報ｒは、
ｒ＝Ｈ１／ＢＴ
と定義される。
【００８１】
または、体厚ＢＴと、正面側６５０から対象部位６２０までの距離であるＨ２とを用いて、位置情報ｒを、
ｒ＝Ｈ２／ＢＴ
のように定義してもよい。
【００８２】
すなわち、位置情報ｒは、体厚ＢＴに対して、体厚ＢＴが示す距離の２つ端のうち、いずれか一方の端（側）から対象部位までの距離（Ｈ１又はＨ２）が占める割合である。
【００８３】
位置情報ｒは、例えば、多数のＣＴ検査画像から、各部位の位置情報を抽出し、各部位毎に位置情報の平均値を算出することにより、事前に設定される。そして、位置情報テーブルには、このようにして得られた位置情報ｒが格納されている。
【００８４】
図７は、位置情報テーブルの一例を示す図である。図７は、位置情報ｒが、部位と、体位と、位置基準情報とに対応付けられている例である。ここで、位置基準情報とは、位置情報ｒが、患者の正面側、背面側、右側又は左側のうち、どの端（側）から対象部位までの距離を用いて定義されたものであるかを示している。
【００８５】
例えば、位置基準情報がＡ（Anterior）の場合、位置情報ｒは、正面側から対象部位までの距離と体厚ＢＴとの比（Ｈ２／ＢＴ）を示している。また、位置基準情報がＰ（Posterior）の場合、位置情報ｒは、背面側から対象部位までの距離と体厚ＢＴとの比（Ｈ１／ＢＴ）を示している。また、位置基準情報がＲ（Right）の場合、位置情報ｒは、右側から対象部位までの距離と体厚ＢＴとの比を示している。また、位置基準情報がＬ（Left）の場合、位置情報ｒは、左側から対象部位までの距離と体厚ＢＴとの比を示している。
【００８６】
なお、同一の部位において、位置基準情報がＡの位置情報ｒａと、位置基準情報がＰの位置情報ｒｐとは、ｒａ＋ｒｐ＝１の関係を有する。例えば、図７の位置情報テーブルにおいて、胸部の位置情報ｒ０１、ｒ０２は、ｒ０１＋ｒ０２＝１の関係を有している。また、股関節の位置情報ｒ０７、ｒ０８は、ｒ０７＋ｒ０８＝１の関係を有している。したがって、位置情報テーブルは、同一の部位の位置情報ｒａ、ｒｐのうち、いずれか一方のみの位置情報を格納するようにしてもよい。
【００８７】
なお、各部位の位置情報は、患者の体型にも依存する。例えば、お腹周りが太っている人と、お腹周りが痩せている人とでは、体厚に対する股関節の位置も異なる。そこで、体型を複数のグループに分け、各グループごとに位置情報テーブルを作成するようにしてもよい。
【００８８】
距離推定部４４０が体型別の位置情報テーブルを有する場合には、Ｘ線撮影時に、患者をいずれかに体型グループに分類し、体型グループの情報が付帯情報に付加されるようにしてもよい。或いは、後述する入力部４７０を介して、対象部位の長さを計測する際に、患者の体型グループを指定するようにしてもよい。
【００８９】
そして、距離推定部４４０は、付帯情報に付加される体型グループの情報、又は、入力部４７０から通知される体型グループの情報に応じて、患者に最適な位置情報テーブルを選択する。このようにして、患者の体型に応じた位置情報テーブルを用いることにより、距離推定部４４０は、患者に適した位置情報を取得することができる。
【００９０】
距離推定部４４０は、Ｘ線画像の付帯情報から、対象部位、撮影時の患者の体位及び撮影方向の情報を取得することができる。そして、距離推定部４４０は、位置情報テーブルから、取得した対象部位の位置情報を取得する。例えば、対象部位が股関節であり、撮影方向がＡＰの場合、受像面には患者の背面が接しているため、距離推定部４４０は、位置情報ｒとして、位置基準情報がＰのｒ０８を取得する。また、対象部位が胸部であり、撮影時の患者の体位が立位であり、撮影方向がＡＰの場合、受像面には患者の背面が接しているため、距離推定部４４０は、位置情報として、位置基準情報がＰのｒ０２を取得する。
【００９１】
なお、位置情報テーブルに、位置基準情報がＡの位置情報ｒａ、又は、位置基準情報がＰの位置情報ｒｐのいずれか一方のみが格納されている場合には、距離推定部４４０は、ｒａ＋ｒｐ＝１より、位置情報ｒａ、ｒｐを取得すればよい。
【００９２】
そして、距離推定部４４０は、患者の体厚ＢＴと、対象部位に応じた位置情報ｒとに基づいて、対象部位と受像面との間の距離Ｈ１を推定する。例えば、対象部位が股関節であり、撮影方向がＡＰの場合、距離推定部４４０は、位置情報としてｒ０８を取得し、そして、患者の背面から（ＢＴ×ｒ０８）の位置に股関節が存在すると判定し、股関節と受像面との間の距離Ｈ１を（ＢＴ×ｒ０８）と推定する。
【００９３】
なお、距離推定部４４０は、部位のサイズを測定する必要がある対象患者の体厚に対する対象部位の位置情報を用いるようにしてもよい。例えば、対象患者が過去にＣＴ検査等を行っているような場合がある。このような場合には、対象患者のＣＴ検査画像から、対象部位の位置情報を取得して、後述する入力部４７０から入力するようにしてもよい。そして、入力部４７０が受け付けた当該情報を用いて、距離推定部４４０は、対象部位と受像面との間の距離を推定するようにしてもよい。
【００９４】
或いは、ＣＴ検査時にＣＴ検査画像から対象部位の位置情報を取得して、当該位置情報をＸ線画像の付帯情報に追加するようにしてもよい。
【００９５】
また、実際に人工関節置換術を行った際に、患者の対象部位のサイズを計測し、実際の対象部位のサイズと受像面上に投影された対象部位の像のサイズとから、対象部位の位置情報を算出して、位置情報テーブルを更新するようにしてもよい。位置情報テーブルを、実測データに基づいて更新することにより、距離推定部４４０は、より確からしい位置情報を取得することができるようになり、対象部位と受像面との間の距離の推定精度を向上させることができる。
【００９６】
このようにして、距離推定部４４０が、対象患者に固有の位置情報を用いることができる場合には、対象部位と受像面との間の距離をより高い精度で推定することができる。
【００９７】
距離推定部４４０は、体厚と、体厚に対する対象部位の位置情報とに基づいて、対象部位と受像面との間の距離を推定すると、対象部位と受像面との間の距離の情報を拡大率推定部４５０に出力する。
【００９８】
拡大率推定部４５０は、受像面上に投影された対象部位の像のサイズを補正する際に必要となる拡大率を推定する。図８を用いて、拡大率推定部４５０における拡大率の推定方法について説明する。なお、図８において、図６と共通するものには、同一の符号を付している。図８は、Ｘ線管球の焦点（Ｘ線発生源）６００と、対象部位６２０と、受像面６１０との位置関係を示した図である。なお、像６６０は、受像面６１０に投影された対象部位６２０の像である。
【００９９】
図８において、Ｈ３は、焦点６００と対象部位６２０との間の距離である。また、Ｈ１は、対象部位６２０と受像面６１０との間の距離であり、距離推定部４４０により、体厚に基づいて推定される。拡大率推定部４５０は、Ｘ線画像の付帯情報から、焦点フィルム間距離（ＦＦＤ：Focus-Film Distance）の情報を取得する。ＦＦＤは、図８に示されるように、距離Ｈ１と距離Ｈ３との和である。
【０１００】
そして、拡大率推定部４５０は、焦点フィルム間距離（ＦＦＤ）と距離Ｈ１とから、式（３）を用いて、拡大率Ｍを推定する。
【数３】
0005986813.tif 000004
【０１０１】
式（３）及び図８から分かるように、拡大率Ｍは、患者の実際の対象部位６２０のサイズｄ２に対する受像面上に投影された対象部位の像６６０のサイズｄ１の比である。そして、拡大率推定部４５０は、推定した拡大率Ｍの情報を部位サイズ補正部４６０に出力する。
【０１０２】
なお、放射線技師法では、撮影（照射）条件として、ＦＦＤの情報を照射録に記録することが義務付けられている。そこで、画像撮影前後、又は、照射録にＦＦＤの情報を記録させる際に、ＦＦＤの情報をモダリティ２２０にて入力し、画像情報に付帯することができるようにしてもよい。若しくは、拡大率推定部４５０は、放射線情報システム（ＲＩＳ）２１０などのネットワーク５００に接続されているシステムに保存されている撮影条件などから、ＦＦＤのの情報を取得してもよい。或いは、対象部位の長さを計測する際、後述する入力部４７０を介して、ＦＦＤの情報を入力するようにしてもよい。
【０１０３】
部位サイズ補正部４６０は、拡大率推定部４５０により得られた拡大率Ｍを用いて、部位サイズ算出部４２０により得られた対象部位の像６６０のサイズｄ１を補正して、式（４）から、実際の対象部位６２０のサイズｄ２を推定する。
【数４】
0005986813.tif 000005
【０１０４】
なお、部位サイズ補正部４６０は、推定した実際の対象部位６２０のサイズｄ２の情報を、画像確認部４１０に出力してもよい。そして、画像確認部４１０は、拡大率Ｍ又は実際の対象部位６２０のサイズｄ２の情報を用いて、テンプレートのサイズを適宜拡大又は縮小し、Ｘ線画像に重畳させて表示するようにしてもよい。
【０１０５】
或いは、画像確認部４１０は、Ｘ線画像に所定単位（例えば、１ｃｍ／１マス）の網目から構成されるグリッドを重畳させて表示するようにしてもよい。この場合、画像確認部４１０は、受像面から対象部位までの距離と同じ距離だけ、当該グリッドを受像面から離して配置した場合に、受像面に投影されるグリッドの像のサイズを、拡大率Ｍを用いて、拡大又は縮小し、拡大又は縮小後のグリッドを、Ｘ線画像に重畳させる。これにより、対象部位と同じ位置に配置されたグリッドが、Ｘ線画像に重畳されるようになるので、当該グリッドのマス目をカウントすることにより、視覚的に対象部位のサイズを把握することができる。
【０１０６】
入力部４７０は、情報の入力を受けるキーボード、マウス、タッチペン、タッチパネル、ボタン等で構成され、必要に応じて、対象部位のサイズの推定に必要な情報を受け付ける。例えば、入力部４７０は、患者ごとの体厚に対する対象部位の位置情報を受け付け、当該情報を距離推定部４４０に出力する。また、入力部４７０は、患者の身長及び体重の情報を受け付け、当該身長及び体重の情報を体厚取得部４３０に出力する。
【０１０７】
以上、部位サイズ推定装置４００の構成について説明した。次に、部位サイズ推定装置４００における対象部位のサイズの推定処理について、図９のフローチャートを参照しながら説明する。
【０１０８】
病院内のネットワークに接続される部位サイズ推定装置４００の画像取得部４１１は、画像データサーバ（ＰＡＣＳ）２３０にアクセスして、該当患者の対象部位が撮影されているＸ線画像を取得する（ステップＳ７１０）。そして、画像取得部４１１は、部位サイズ推定装置４００の画像参照部４１２に、取得したＸ線画像を表示する（ステップＳ７２０）。そして、入力部４７０により、対象部位の始点ｄｓと終点ｄｅを指定する（ステップＳ７３０）。
【０１０９】
部位サイズ算出部４２０は、画面に表示された対象部位の始点ｄｓから終点ｄｅまでの距離から参照サイズｄ０を算出し、参照サイズｄ０、参照画像の全体サイズ及び受像面（ＩＰ又はＦＰＤ等）の全体サイズから、受像面上の対象部位の像のサイズｄ１を算出する（ステップＳ７４０）。
【０１１０】
体厚取得部４３０は、患者の体厚ＢＴの情報を取得する（ステップＳ７５０）。
【０１１１】
そして、距離推定部４４０は、患者の体厚ＢＴに基づいて、対象部位と受像面との間の距離Ｈ１を推定する（ステップＳ７６０）。
【０１１２】
そして、拡大率推定部４５０は、体厚ＢＴに基づいて推定された、対象部位から受像面までの距離Ｈ１と、Ｘ線管球の焦点から受像面までの距離である焦点フィルム間距離（ＦＦＤ）とから、拡大率Ｍを推定する（ステップＳ７７０）。なお、拡大率推定部４５０は、例えば、Ｘ線画像の付帯情報から、焦点フィルム間距離（ＦＦＤ）の情報を取得する。
【０１１３】
部位サイズ補正部４６０は、拡大率推定部４５０により得られた拡大率Ｍを用いて、部位サイズ算出部４２０により得られた対象部位の像のサイズｄ１を補正して、実際の対象部位のサイズｄ２を推定する（ステップＳ７８０）。
【０１１４】
（斜位方向撮影）
上述の説明では、患者がフィルム（受像面）に対して、正面、背面又は側面を向けて撮影した場合（正面方向撮影、背面方向撮影、側面方向撮影）について説明した。ところで、レントゲンの撮影方向には、これらの方向以外にも、患者がフィルムに対して体を斜めに向けて撮影（斜位方向撮影）する場合がある。斜位方向撮影は、脊椎系の撮影において多く用いられている。
【０１１５】
そこで、以下では、斜位方向撮影の場合に、本願発明を適用する場合について説明する。なお、以下では、体の水平断面の形状が楕円であると仮定して説明する。
【０１１６】
図１０（Ａ）は、正面方向撮影時の体の水平断面の一例であり、図１０（Ｂ）は、フィルム（受像面）に対して、正面方向を角度θ（ｒａｄ）だけ回転して撮影した、斜位方向撮影時の体の水平断面の一例である。なお、図１０において、図６及び図８と共通するものには、同一の符号を付している。
【０１１７】
ここで、図１０（Ｂ）の楕円６８０−２は、図１０（Ａ）の楕円６８０−１を原点を中心に角度θ（ｒａｄ）だけ回転した関係にある。なお、図１０（Ａ）、図１０（Ｂ）において、ａは、長軸の長さ（長径）であり、ｂは、短軸の長さ（短径）である（ａ＞ｂ＞０）。
【０１１８】
したがって、図１０（Ａ）の楕円６８０−１を式（５）で表すと、図１０（Ｂ）の楕円６８０−２は、式（６）で表される。
【数５】
0005986813.tif 000006
【数６】
0005986813.tif 000007
【０１１９】
ここで、長径ａは、体の左右方向の体厚ＢＴＬの１／２であり、短径ｂは、体の前後方向の体厚ＢＴＳの１／２である。
【０１２０】
なお、図１０（Ａ）、図１０（Ｂ）において、対象部位６２０は、正面方向撮影時の対象部位を示し、対象部位６２０’は、斜位方向撮影時の対象部位を示している。また、基準線６７０は、フィルム（受像面）６１０に平行な線であって、楕円の中心を通る線である。なお、図１０（Ａ）、図１０（Ｂ）は、楕円の中心が同じ高さになるように表示されている。
【０１２１】
図１０（Ｂ）において、目標点移動距離ｈ０は、正面方向撮影時と斜位方向撮影時とにおける基準線６７０から対象部位６２０、６２０’までの距離の差を示している。また、図１０（Ｂ）において、体表移動距離ｈ１は、正面方向撮影時と斜位方向撮影時とにおける基準線６７０から受像面（体表）６１０までの距離の差を示している。
【０１２２】
図１０（Ａ）、図１０（Ｂ）から分かるように、斜位方向撮影時の受像面６１０から対象部位６２０’までの距離Ｈ’１は、正面方向撮影時の受像面６１０から対象部位６２０までの距離Ｈ１に比べ、ｈ０＋ｈ１だけ長くなる（Ｈ’１＝Ｈ１＋ｈ０＋ｈ１）。
【０１２３】
上述したように、距離推定部４４０は、正面方向撮影時の受像面６１０から対象部位６２０までの距離Ｈ１を算出することができる。したがって、目標点移動距離ｈ０と体表移動距離ｈ１とが分かれば、距離推定部４４０は、斜位方向撮影時の受像面６１０から対象部位６２０’までの距離Ｈ’１を算出することができる。
【０１２４】
以下、斜位方向撮影時の受像面６１０から対象部位６２０’までの距離Ｈ’１の算出方法について説明する。
【０１２５】
（目標点移動距離）
回転前の対象部位６２０の座標を（Ｘ，Ｙ）、θ回転後の対象部位６２０’の座標を（Ｘ’，Ｙ’）とすると、目標点移動距離ｈ０は、以下のように算出される。
【数７】
0005986813.tif 000008
【０１２６】
ここで、回転前の対象部位６２０の座標（Ｘ，Ｙ）と、θ回転後の対象部位６２０’の座標（Ｘ’，Ｙ’）との間には、以下の関係がある。
【数８】
0005986813.tif 000009
【０１２７】
したがって、回転前の対象部位６２０の座標（Ｘ，Ｙ）及び角度θが分かれば、目標点移動距離ｈ０を算出することができる。
【０１２８】
回転前の対象部位６２０の座標（Ｘ，Ｙ）については、距離推定部４４０が、体の水平断面を、体の中心を原点とする所定の座標系における各部位の位置を示す位置情報とが対応付けられた位置情報テーブルを有するようにし、当該位置情報テーブルから取得するようにする。図１１は、位置情報テーブルの一例を示す図である。
【０１２９】
図１１に示すように、位置情報テーブルには、各部位と、体位と、方向と、角度θと、位置情報（Ｒｘ，Ｒｙ）とが対応付けられている。ここで、角度θは、所定の座標系のＸ軸から、撮影時の体の左右方向がどの程度回転しているかを表している。また、位置情報（Ｒｘ，Ｒｙ）は、所定の座標系における各部位の位置が、長径及び短径に対する比率で表されている。所定の座標系は、例えば、体の中心を原点とし、体の左右方向をＸ軸、体の垂直方向をＹ軸とし、体の右方向をＸ軸の正の方向、体の正面方向をＹ軸の正の方向とする座標系とする。この場合、角度θは、体が正面方向からどの程度回転しているかを表し、位置情報（Ｒｘ，Ｒｙ）は、体の中心を原点とし、体の左右方向をＸ軸、体の垂直方向をＹ軸とし、体の右方向をＸ軸の正の方向、体の正面方向をＹ軸の正の方向とする座標系における各部位の位置が、長径及び短径に対する比率で表されている。
【０１３０】
なお、体位が立位と臥位とでは、各部位の位置情報（Ｒｘ，Ｒｙ）が異なるため、図１１に示す位置情報テーブルには、部位と体位の組み合わせ毎に、位置情報（Ｒｘ，Ｒｙ）が対応付けられている。
【０１３１】
また、図１１に示す位置情報テーブルは、撮影方向及び角度θの情報を含んでいる。これは、例えば、撮影方向がＲＡＯ（Right Anterior Oblique Position）或いはＬＡＯ（Left Anterior Oblique Position）の場合、撮影部位によって、撮影に最適な角度θが異なる場合があるからである。例えば、撮影方向がＲＡＯであっても、撮影部位が腰椎の場合、角度θは４０度であるのに対し、撮影部位が頚椎の場合、角度θは４５度であったりする。
【０１３２】
なお、位置情報テーブルに代えて、Ｘ線画像の付帯情報に、撮影部位、撮影時の体位及び撮影方向の情報に加えて、角度θの情報が含まれるようにして、距離推定部４４０は、Ｘ線画像の付帯情報から角度θの情報を取得するようにしてもよい。この場合には、位置情報テーブルには、各部位と、体位と、体の中心を原点とする所定の座標系における各部位の位置を示す位置情報との対応付けが少なくとも一つ格納されていればよいので、位置情報テーブルの容量を抑えることができる。
【０１３３】
位置情報（Ｒｘ，Ｒｙ）を用いて、回転前、すなわち、正面方向撮影時の対象部位６２０の座標（Ｘ，Ｙ）は、以下のように算出される。
【数９】
0005986813.tif 000010
【０１３４】
式（９）及び角度θの情報を、式（７）及び式（８）に代入することにより、目標点移動距離ｈ０を算出することができる。
【０１３５】
このようにして、距離推定部４４０は、各部位と体の中心を原点とする所定の座標系における各部位の位置を示す位置情報とが対応付けられた位置情報テーブルを有し、当該位置情報テーブルから対象部位に対応付けられた位置情報を取得し、体厚と位置情報と撮影方向とに基づいて、目標点移動距離ｈ０を算出する。
【０１３６】
（体表移動距離）
図１０（Ａ）及び図１０（Ｂ）から、体表移動距離ｈ１は、体の水平断面の形状が、長径ａ、短径ｂの楕円形（ａ＞ｂ＞０）であると仮定した場合、式（６）の極値ＹＬの絶対値から、短径ｂを引いた距離と分かる。
【数１０】
0005986813.tif 000011
【０１３７】
極値ＹＬの絶対値｜ＹＬ｜は、図１０（Ｂ）の楕円６８０−２の式（６）を微分することにより、以下のように算出される。
【数１１】
0005986813.tif 000012
【０１３８】
ここで、ｃは、以下のように表される。
【数１２】
0005986813.tif 000013
【０１３９】
このようにして、距離推定部４４０は、目標点移動距離ｈ０と、体表移動距離ｈ１とから、斜位方向撮影時の受像面６１０から対象部位６２０’までの距離Ｈ’１を算出することができる。そして、拡大率推定部４５０は、式（３）において、距離Ｈ１に代えて、距離Ｈ’１を用いて、斜位方向撮影時の拡大率Ｍを推定する。
【０１４０】
なお、正面方向撮影時の体の左右方向をＸ軸、体の垂直方向をＹ軸とし、体の右方向をＸ軸の正の方向、体の正面方向をＹ軸の正の方向とする座標系に対して、背面方向撮影及び側面方向撮影は、それぞれ、θ＝１８０（°）、θ＝９０（°）の関係を有する。したがって、背面方向撮影及び側面方向撮影の場合も、斜位方向撮影の場合と同様に、体厚ＢＴＬ及びＢＴＳと、目標点移動距離ｈ０と体表移動距離ｈ１とから、受像面と対象部位との間の距離を算出することができる。
【０１４１】
したがって、この場合の位置情報テーブルには、上述の位置基準情報が不要となり、部位と体位の組み合わせ毎に、位置情報（Ｒｘ，Ｒｙ）が少なくとも一つ格納されていれば、全ての撮影方向に対して、受像面と対象部位との間の距離を算出することができ、位置情報テーブルの容量を抑えることができる。また、体厚を式（２）を用いて算出する場合、体厚補正係数テーブルには、所定の座標系における体の前後方向の体厚補正係数のみが格納されていればよいので、体厚補正係数テーブルの容量を抑えることができる。
【０１４２】
（拡大率の補正）
上述の説明では、Ｘ線の中心線上に対象部位がある場合について説明した。しかしながら、全ての撮影において、対象部位がＸ線の中心線上にあるとは限らない。また、撮影の便宜上、意図的に対象部位をＸ線の中心線上から外して撮影する場合がある。対象部位がＸ線の中心線上から外れている場合、対象部位がＸ線の中心線上にある場合に比べ、Ｘ線の焦点と対象部位との間の距離が長くなってしまう。
【０１４３】
そこで、以下では、対象部位がＸ線の中心線上から外れている場合において、実際の対象部位のサイズをより高い精度で推定する方法について説明する。なお、Ｘ線の中心線はフィルム（受像面）に対して垂直とし、Ｘ線の中心線とフィルム（受像面）とが交わる点を、フィルム中心と呼ぶ。
【０１４４】
図１２（Ａ）は、Ｘ線管球の焦点及び対象部位の位置関係を、Ｘ線管球の焦点の真上から見た図である。また、図１２（Ｂ）は、図１２（Ａ）のＩ−Ｉを通り、受像面に垂直な断面を示す。なお、図１２（Ａ）及び図１２（Ｂ）において、図６及び図８と共通するものには、同一の符号を付している。図１２（Ａ）及び図１２（Ｂ）において、対象部位６２０は、Ｘ線の中心線上に位置する対象部位を示し、対象部位６２０’は、Ｘ線の中心線上から外れて位置する対象部位を示している。
【０１４５】
図１２（Ａ）において、ｄ３は、Ｘ線の中心線と対象部位６２０’との間の距離である。また、図１２（Ｂ）において、Ｈ’３は、Ｘ線管球の焦点６００と対象部位６２０’との間の距離であり、Ｈ’１は、対象部位６２０’と受像面６１０との間の距離である。
【０１４６】
図１２（Ｂ）から分かるように、Ｈ’３、Ｈ’１は、以下のようにして算出することができる。
【数１３】
0005986813.tif 000014
【数１４】
0005986813.tif 000015
【０１４７】
また、対象部位がＸ線の中心線上から外れている場合の焦点フィルム間距離ＦＦＤ’は、以下のようになる。
【数１５】
0005986813.tif 000016
【０１４８】
したがって、対象部位がＸ線の中心線上から外れている場合、拡大率推定部４５０は、焦点フィルム間距離ＦＦＤ’と距離Ｈ’３とから、式（１６）を用いて、拡大率Ｍを推定する。
【数１６】
0005986813.tif 000017
【０１４９】
具体的には、対象部位がＸ線の中心線上から外れている場合、部位サイズ算出部４２０は、画像参照部４１２に表示された対象部位の像の中心とフィルム中心との距離ｄ”３を計測する。例えば、部位サイズ算出部４２０は、対象部位の像の中心及びフィルム中心の特定は、例えば、入力部４７０（キーボード、マウス、タッチペン、タッチパネル、ボタン等）を用いて行われる。なお、対象部位の像の中心及びフィルム中心の情報を取得する方法は、特に限定されない。
【０１５０】
そして、部位サイズ算出部４２０は、以下の関係式を用いて、受像面上の対象部位の像の中心とフィルム中心との距離ｄ’３をを算出する。
ｄ’３＝ｄ”３×Ｒ
【０１５１】
ここで、比Ｒは、上述したように、参照画像の全体サイズに対する受像面（ＩＰ又はＦＰＤ等）の全体サイズの割合、すなわち、Ｒ＝受像面の全体サイズ／参照画像の全体サイズ、である。
【０１５２】
そして、拡大率推定部４５０は、ステップＳ７７０において、式（３）に代えて、式（１６）を用いて、拡大率を推定する。
【０１５３】
これにより、対象部位がフィルム中心からずれて撮影された場合においても、実際の対象部位のサイズをより高い精度で推定することができるようになる。
【０１５４】
以上のように、本発明の実施の形態に係る部位サイズ推定装置４００において、距離推定部４４０は、患者の体厚に基づいて、対象部位と受像面との間の距離を推定する。そして、拡大率推定部４５０は、対象部位と受像面との間の距離と、Ｘ線管球の焦点と受像面との間の距離とに基づいて、受像面上に投影された対象部位の像のサイズを補正する際に必要となる拡大率を推定する。そして、部位サイズ補正部４６０は、この拡大率を用いて、受像面上に投影された対象部位の像のサイズを補正して、実際の対象部位のサイズを推定する。
【０１５５】
このようにして、距離推定部４４０は、Ｘ線の照射量を調整するために利用される体厚と、体厚に対する対象部位の位置情報とに基づいて、対象部位と受像面との間の距離を推定し、拡大率推定部４５０は、対象部位と受像面との間の距離、Ｘ線管球の焦点と受像面との間の距離とに基づいて、拡大率を推定する。これにより、部位サイズ推定装置４００では、マーカとしての金属球を用いずに、患者の体厚に基づいて、拡大率が推定されるので、金属球を対象部位に合わせて配置し、対象部位と金属球とを同時に撮影して、拡大率を推定する方法に比べ、撮影時の手間を省くことができる。また、部位サイズ推定装置４００では、患者の体厚に基づいて、患者の体型に応じた拡大率が設定されるので、対象部位のサイズをより高い精度で推定することができる。
【０１５６】
また、距離推定部４４０は、各部位と、体の中心を原点とする所定の座標系における各部位の位置を示す位置情報とが対応付けられた位置情報テーブルを有し、位置情報テーブルから対象部位に対応付けられた位置情報を取得し、体厚と位置情報と撮影方向とに基づいて、対象部位と受像面との間の距離を推定する。
【０１５７】
また、体厚取得部４３０は、患者の身長と、体重と、対象部位、撮影体位及び撮影方向に基づいて、体厚を推定する。この場合、体厚取得部４３０が、部位と、体位と、体厚の方向と、体厚補正係数ｆとが対応付けられた体厚補正係数テーブルを保持し、患者の身長及び体重の情報が取得できれば、金属球を配置せず、かつ、体厚を実測しなくても、体厚を推定することができるので、患者ごとに適切な拡大率を用いて、対象部位のサイズを推定することができる。
【０１５８】
また、体厚取得部４３０が、患者の身長と、体重と、対象部位、体位及び撮影方向に応じた体厚補正係数とに基づいて、体厚を推定する場合、体厚取得部４３０は、Ｘ線画像の付帯情報に含まれる情報を利用して、体厚を推定することができる。この場合、体厚取得部４３０は、Ｘ線画像の付帯情報を利用して、体厚を推定することができるため、体厚を算出するためのコスト等の増加を抑えることができる。
【０１５９】
また、距離推定部４４０は、体厚に対する対象部位の位置情報に応じて、対象部位と受像面との間の距離を推定する。これにより、患者の体厚、すなわち、患者の体型に応じて、拡大率を推定することができるので、対象部位のサイズをより高い精度で推定することができる。
【０１６０】
また、入力部４７０は、体厚に対する対象部位の位置情報、患者の身長及び体重の情報を受け付ける。これにより、拡大率推定部４５０は、過去に患者が受けた検査の結果を利用して、当該患者の体厚に対する対象部位の位置を指定して、拡大率を推定することができるので、対象部位のサイズをより高い精度で推定することができる。Ｘ線画像の付帯情報に、当該患者の身長及び体重の情報が付加されていない場合においても、体厚取得部４３０は、体厚を推定することができる。
【０１６１】
体厚取得部４３０における体厚取得の方法がいずれの場合も、金属球を、受像面からの距離が対象部位と同じになるように配置して拡大率を設定するのに比べ、体厚に基づいて拡大率を推定する方法では、煩わしい手間をかけずに、より高い精度で拡大率を推定することができる。更に、本発明では、Ｘ線撮影において照射量を調整するために用いられる体厚を、拡大率の推定に利用しているので、コスト等の増加を抑えつつ、適切な拡大率を推定することができる。
【０１６２】
また、金属球を用いて拡大率を設定する方法では、金属球を配置せずに撮影してしまった場合、再度、金属球を配置して撮影を行わなければならず、患者の被曝量を増加させてしまうのに対し、本発明では、金属球を必要としないので、患者の被曝量の増加を抑えることができる。
【０１６３】
なお、以上の説明では、Ｘ線光源の焦点サイズが小さい場合を例に説明したが、焦点サイズが大きい場合においても、本発明を適用することができる。
【０１６４】
また、以上の説明では、部位サイズ推定装置４００が、デジタル化されたＸ線画像を病院内のネットワーク５００を介して取得する場合を例に説明したが、病院内にネットワーク環境が整備されていない場合においても、本発明を適用することができる。この場合、現像機を用いて出力されたフィルムを上述の画像参照部４１２に表示されたＸ線画像（参照画像）と考えればよい。そして、フィルム（参照画像）の全体サイズと、Ｘ線撮影時の受像面のサイズとから、比Ｒを算出すればよい。なお、この場合、参照サイズは、フィルム（参照画像）上に表示された対象部位の像のサイズとなる。
【０１６５】
そして、上記比Ｒと、拡大率Ｍとを用いて、デジタル化されたＸ線画像の場合と同様に、実際の対象部位のサイズを算出すればよい。或いは、上記比Ｒと、拡大率Ｍとを用いて、人工関節のテンプレートを拡大、縮小し、拡大又は縮小後のテンプレートを、フィルムに重畳させて、最適なテンプレートを選択するようにしてもよい。
【０１６６】
このように、本発明は、デジタル化されたＸ線画像に限らず、フィルムでしか対象部位を確認できない場合においても、適用可能である。
【０１６７】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体例に様々な修正および変更が可能である。
【０１６８】
なお、図１３に、本発明の実施の形態に係る部位サイズ推定装置４００を実現するのに適するコンピューティングデバイスの実現例を示す。
【０１６９】
図１３のコンピューティングデバイス８００は、中央処理ユニット（ＣＰＵ：Central Processing Unit）８１０、メモリ８２０及び記録媒体８３０を有し、バスを介して結合されている。
【０１７０】
ＣＰＵ８１０は、オペレーティング・システム（図示せず）と一緒になって、ＲＡＭ（Random Access Memory）等のメモリ８２０に読み込んだプログラムコードを実行するように動作する。プログラムコードやデータは、ＲＯＭ（Read Only Memory）又はハードディスク等の記録媒体８３０に予め記録しておくことができる。或いは、プログラムコードやデータは、フロッピー（登録商標）ディスク等の磁気ディスク、ＣＤ（Compact Disc）、ＤＶＤ(Digital Versatile Disc)等の光ディスク、ＭＯ（Magneto Optical）ディスク等の光磁気ディスク等のリムーバブル記録媒体８４０に、一時的、或いは、永続的に格納（記録）しておくことが可能である。このようなリムーバブル記録媒体８４０は、いわゆるパッケージソフトウェアとして提供することができる。
【０１７１】
なお、プログラムコードやデータを、上述したようなリムーバブル記録媒体８４０からコンピューティングデバイス８００にインストールする他、ネットワークＩ／Ｆ８５０を介して、ダウンロードサイトから有線又は無線転送によりインストールし、コンピューティングデバイス８００が、転送されてきたプログラムやデータを受信し、内蔵する記録媒体８３０にインストールするようにしてもよい。
【０１７２】
また、ハードディスク、ＣＤ−ＲＯＭ、磁気光学（フロプチカル）ドライブ、テープ・ドライブ等の大容量記憶装置８６０が、ＣＰＵ８１０と結合されるようにしてもよい。大容量記憶装置８６０は、追加のプログラムコードやデータを格納している。また、大容量記憶装置８６０のアドレス空間を、例えば、仮想メモリ等のためにＣＰＵ８１０によってアクセス可能としてもよい。また、記録媒体８３０に代えて、大容量記憶装置８６０が、該当プログラムやデータを格納するようにしてもよい。
【０１７３】
また、上述したコンピューティングデバイス８００の各々は、更に、キーボードやポインタ・デバイス（例えば、マウスやタッチペン）等の入力装置８７０を有している。また、コンピューティングデバイス８００は、画像等を見るための表示装置８８０を有している。
【０１７４】
適切なソフトウェアまたはファームウェアの制御下で動作するとき、ＣＰＵ８１０は、所望のコンピューティングデバイス８００の機能に関連付けられた特定の機能を実現することを担う。例えば、部位サイズ推定装置４００をコンピューティングデバイス８００により実現する場合、部位サイズ算出部４２０、体厚取得部４３０、距離推定部４４０、拡大率推定部４５０及び部位サイズ補正部４６０の機能は、ＣＰＵ８１０により実現される。なお、体厚補正係数テーブルや位置情報テーブルは、記録媒体８３０、リムーバブル記録媒体８４０、大容量記憶装置８６０等に記憶される。また、画像確認部４１０、入力部４７０の機能は、表示装置８８０、入力装置８７０等により実現される。
【０１７５】
なお、上記実施形態で説明した処理動作に従って時系列的に実行されるのみならず、処理を実行する装置の処理能力、或いは、必要に応じて並列的に或いは個別に実行するように構築することも可能である。
【０１７６】
また、上記実施形態で説明した部位サイズ想定装置は、複数の装置の論理的集合構成にしたり、各装置の機能を混在させたりするように構築することも可能である。
【符号の説明】
【０１７７】
１００  病院情報システム（ＨＩＳ）
２００  放射線部門システム
２１０  放射線情報システム（ＲＩＳ）
２２０  モダリティ
２３０  画像データサーバ（ＰＡＣＳ）
３００  端末
４００  部位サイズ推定装置
４１０  画像確認部
４１１  画像取得部
４１２  画像参照部
４２０  部位サイズ算出部
４３０  体厚取得部
４４０  距離推定部
４５０  拡大率推定部
４６０  部位サイズ補正部
４７０  入力部
５００  ネットワーク
８００  コンピューティングデバイス
８１０  ＣＰＵ
８２０  メモリ
８３０  記録媒体
８４０  リムーバブル記録媒体
８５０  ネットワークＩ／Ｆ
８６０  大容量記憶装置
８７０  入力装置
８８０  表示装置
【図１】
0005986813.tif 000019
【図２】
0005986813.tif 000020
【図３】
0005986813.tif 000021
【図４】
0005986813.tif 000022
【図５】
0005986813.tif 000023
【図６】
0005986813.tif 000024
【図７】
0005986813.tif 000025
【図８】
0005986813.tif 000026
【図９】
0005986813.tif 000027
【図１０】
0005986813.tif 000028
【図１１】
0005986813.tif 000029
【図１２】
0005986813.tif 000030
【図１３】
0005986813.tif 000031